【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
技工室模型上の歯冠および歯根修復を行う方法であって、
−  髄室（５）および前記髄室（５）で開口している少なくとも１つの詰め物が入った根管（２）を備える技工室模型を提供する工程と、
−  前記髄室（５）の印象を作製して、前記歯冠および歯根修復物の歯冠部を形成する工程と、
−  前記印象から、補綴物（１）を作製し、前記補綴物（１）は、少なくとも１つの貫通管（３）を備え、前記少なくとも１つの貫通管（３）は、前記少なくとも１つの詰め物が入った根管（２）に対して開口する端を有する、工程と、
−  前記少なくとも１つの詰め物が入った根管（２）の詰め物を除去して、少なくとも１つの詰め物が除去された根管を形成する工程と、
−  前記少なくとも１つの詰め物が除去された根管（２）と、前記少なくとも１つの貫通管（３）とに、接着剤（９）を充填する工程と、
−  前記少なくとも１つの貫通管（３）が、前記少なくとも１つの詰め物が除去された根管（２）に対して開口するように、前記補綴物（１）を嵌め込む工程と、
−  複数の補強ピン（７）を、前記少なくとも１つの貫通管（３）を通して、前記少なくとも１つの詰め物が除去された根管（２）に挿入し、前記少なくとも１つの貫通管（３）と、前記少なくとも１つの詰め物が除去された根管（２）とは、前記複数の補強ピン（７）と前記接着剤（９）とにより充填されている、工程と、を連続して含む、ことを特徴とする方法。
【請求項２】
前記少なくとも１つの貫通管（３）は、湾曲している、ことを特徴とする請求項１に記載の歯冠および歯根修復を行う方法。
【請求項３】
前記少なくとも１つの詰め物が入った根管（２）の、詰め物を除去する工程は、前記少なくとも１つの詰め物が入った根管（２）の側壁にドリリングをすることなしに行われる、ことを特徴とする請求項１または２に記載の歯冠および歯根修復を行う方法。
【請求項４】
前記複数の補強ピン（７）は、前記補強ピン（７）の少なくとも１つの束の形態で、集合手段（８）により互いに固定され、前記補強ピン（７）の少なくとも１つの束は、前記少なくとも１つの貫通管（３）を通して、前記少なくとも１つの詰め物が入った根管（２）に挿入される、ことを特徴とする請求項１乃至３のいずれかに記載の歯冠および歯根修復を行う方法。
【請求項５】
前記集合手段（８）は、前記複数の補強ピン（７）をグループ化して、前記補強ピン（７）の少なくとも１つの束を形成するように構成されており、前記集合手段（８）は、前記複数の補強ピン（７）の長さを、部分的に覆う、ことを特徴とする請求項４に記載の歯冠および歯根修復を行う方法。
【請求項６】
前記少なくとも１つの補強ピン（７）の束は、優先的なエッチング管（６）を定義するために、前記複数の補強ピン（７）を形成する材料よりも迅速にエッチングすることができる材料で作製された追加ピンを備える、ことを特徴とする請求項４または５に記載の歯冠および歯根修復を行う方法。
【請求項７】
前記集合手段（８）は、前記複数の補強ピン（７）と、前記追加ピンとをグループ化して、前記補強ピン（７）の少なくとも１つの束を形成するように構成され、前記集合手段（８）は、前記補強ピン（７）の長さを部分的に覆い、前記追加ピンは、前記複数の補強ピン（７）の間で、前記集合手段（８）に直接または間接的に固定される、ことを特徴とする請求項４および６の組み合わせに係る歯冠および歯根修復を行う方法。
【請求項８】
前記追加ピンは、前記隣接する補強ピン（７）の長さの少なくとも７０％にわたって、前記複数の補強ピン（７）の隣接する補強ピン（７）に固定される、ことを特徴とする請求項７に記載の歯冠および歯根修復を行う方法。
【請求項９】
前記補強ピン（７）の少なくとも１つの束は、３〜１５個の補強ピン（７）を備え、および／または、前記複数の補強ピン（７）の前記補強ピン（７）は、０．１ｍｍ〜０．５ｍｍの範囲の直径を有する、ことを特徴とする請求項４乃至８のいずれかに記載の歯冠および歯根修復を行う方法。
【請求項１０】
前記複数の補強ピン（７）を、前記少なくとも１つの詰め物が除去された根管（２）と、前記少なくとも１つの貫通管（３）とに挿入した後に、前記接着剤（９）を重合する追加工程を備える、ことを特徴とする請求項１乃至９のいずれかに記載の歯冠および歯根修復を行う方法。
【請求項１１】
前記髄室（５）の印象を作製する前に、前記髄室（５）内の少なくとも１つの詰め物が入った根管（２）に印付けを行う工程を含む、ことを特徴とする請求項１乃至１０のいずれかに記載の歯冠および歯根修復を行う方法。
【請求項１２】
前記少なくとも１つの詰め物が入った根管（２）の入り口にくぼみを作ることによって、前記少なくとも１つの詰め物が入った根管（２）に印付けを行う、ことを特徴とする請求項１１に記載の歯冠および歯根修復を行う方法。
【請求項１３】
前記複数の補強ピン（７）を挿入する前に、前記複数の補強ピン（７）を形成する材料よりも迅速にエッチングすることができる材料で作製された追加ピンを備える、補強ピン（７）の第１の束を挿入する工程を含み、前記追加ピンは、優先的なエッチング管を定義し、
前記歯冠および歯根修復物は、前記少なくとも１つの詰め物が除去された根管（２）の中心領域に位置する、１つの優先的なエッチング管を備える、ことを特徴とする請求項１０に記載の歯冠および歯根修復を行う方法。
【請求項１４】
髄室（５）および前記髄室（５）で開口している少なくとも１つの詰め物が入った根管（２）を備える技工室模型上の歯冠および歯根の歯科修復物であって、
−  少なくとも１つの貫通管（３）を備え、前記少なくとも１つの貫通管（３）は、少なくとも１つの根管（２）内で開口する一端を有する、補綴物（１）と、
−  複数の補強ピン（７）であって、前記複数の補強ピン（７）の少なくとも１つの補強ピン（７）は、前記少なくとも１つの貫通管（３）を、前記少なくとも１つの根管（２）と接続するように、前記少なくとも１つの根管（２）と、前記少なくとも１つの貫通管（３）との内部に配置される、複数の補強ピン（７）と、
−  前記少なくとも１つの根管（２）と、前記少なくとも１つの貫通孔（３）とを充填する接着剤（９）と、を備える、歯冠および歯根の歯科修復物において、
前記補綴物（１）は、前記接着剤（９）のヤング率および前記複数の補強ピン（７）を形成する材料のヤング率よりも高いヤング率を有する材料で作製され、
前記複数の補強ピン（７）は、柔軟な材料で形成され、前記少なくとも１つの貫通管（３）および前記少なくとも１つの根管（２）の形状に追従し、前記少なくとも１つの根管（２）および前記少なくとも１つの貫通管（３）の壁に密接に接した前記接着剤（９）により、被覆されて分離されており、
前記複数の補強ピン（７）の定義された形状の開口のない前記少なくとも１つの根管（２）が、前記少なくとも１つの貫通管（３）および前記少なくとも１つの根管（２）に均一に配置されて、前記接着剤（９）により互いに固定され、
前記接着剤（９）は、前記少なくとも１つの根管（２）の管壁と前記複数の補強ピン（７）との間の化学的かつ機械的接合を提供し、根管（２）と補綴物（１）との間の化学的かつ機械的接合は、補綴物（１）を、髄室（５）の壁に対して固定する、
ことを特徴とする歯冠および歯根修復物。
【請求項１５】
前記複数の補強ピン（７）は、集合手段（８）によって互いに固定された補強ピン（７）の束の形態で挿入され、
補強ピン（７）の少なくとも１つの束は、エッチング管（６）を形成するために、前記複数の補強ピン（７）よりも迅速にエッチングすることができる材料で作製された追加ピンを備える、ことを特徴とする請求項１４に記載の歯冠および歯根修復物。
【請求項１６】
請求項１５に記載の歯冠および歯根修復物を開口する方法であって、
ドリルビット（１２）により、前記ドリルビット（１２）の押下のためのガイドとして、前記複数の補強ピン（７）を用いて、ドリルビット（１２）によって、前記エッチング管（６）をエッチングする工程を備える、ことを特徴とする方法。